(57)【要約】【課題】簡単な構成により、煽戸への内方から外側方への押圧力は勿論のこと、煽戸を固縛する側壁への内方から外側方への押圧力に対しても強力な保持力を有し、当該側壁の倒れを防止することのできる荷箱の煽戸固縛装置を提供する。【解決手段】開閉自在な煽戸を備えた荷箱１において、荷箱１には煽戸２を閉塞状態で固縛する固縛装置３が設けられ、固縛装置３は、煽戸２に設けられた固縛フック３３と、荷箱１側に設けられ、固縛フック３３が係脱自在な固縛ピン３２とを備えてなり、固縛フック３３のフック部が固縛ピン３２の周面を荷箱１側から外側に亘って抱え込んだ状態で係合するように構成されている。前記フック部の内側縁には、固縛ピン３２に係合した際にこの固縛ピン３２に掛止可能な突起部が形成されている。【選択図】  図３
2004182143.tif 000002
【特許請求の範囲】
【請求項１】
開閉自在な煽戸を備えた荷箱において、
荷箱には煽戸を閉塞状態で固縛する固縛装置が設けられ、該固縛装置は、煽戸に設けられた固縛フックと、荷箱側に設けられ、該固縛フックが係脱自在な固縛ピンとを備えてなり、固縛フックのフック部が固縛ピンの周面を荷箱側から外側に亘って抱え込んだ状態で係合するように構成されたことを特徴とする荷箱の煽戸固縛装置。
【請求項２】
前記フック部の内側縁には、固縛ピンに係合した際にこの固縛ピンに掛止可能な突起部が形成されたことを特徴とする請求項１記載の荷箱の煽戸固縛装置。
【請求項３】
前記固縛フックと前記固縛ピンとが上下方向に所定の間隔を隔てて複数個配設されるとともに、各固縛フックは上下方向に配設された連動ロッドに連結され、この連動ロッドの回動操作により各固縛フックが対応する各固縛ピンに係脱自在になされたことを特徴とする請求項１又は２記載の荷箱の煽戸固縛装置。
【発明の詳細な説明】
【０００１】
【発明の属する技術分野】
本発明は、荷箱に開閉自在に設けられた煽戸の固縛装置、例えば垂直軸を中心に横開きする煽戸の煽戸固縛装置に関するものである。
【０００２】
【従来の技術】
図５は、従来の荷箱の煽戸固縛装置を示している。
【０００３】
図５において、荷箱ａの後部には後部煽戸ｂが図示しない反対側縁（右側縁）に連結された垂直軸を中心として横開き自在に設けられている。
【０００４】
この荷箱ａには、後部煽戸ｂを閉塞した状態で固縛するための固縛装置ｃが設けられている。
【０００５】
固縛装置ｃは、荷箱ａの側壁後端面ａ１と後部煽戸ｂの一側縁ｂ１との間に例えば複数（３個）の固縛部材ｄが上下に所定間隔を隔てて設けられており、これら固縛部材ｄを操作レバーｅの上下回動操作により連動ロッドｆを通じて連動させながら作動させることで、荷箱ａに対して後部煽戸ｂを閉塞状態で固縛するとともに、この固縛を解除するようにしていた。
【０００６】
そして、上記各固縛部材ｄの基本的構造は、特許文献１に見られるようになされていた。
【０００７】
具体的には、図６に示すように例えば後部煽戸ｂ側にブラケットｂ１を介して係合ピンｄ１が設けられるとともに、荷箱ａ側に支持金具ｄ２が上記係合ピンｄ１と対応して設けられている。そして、支持金具ｄ２に係合ピンｄ１を係合させた状態で当該支持金具ｄ２に設けられた操作レバーｄ３を下方に回動させて係合ピンｄ１を保持することで、後部煽戸ｂを閉塞状態で固縛するようにしていた。
【０００８】
【特許文献１】
実開平２−１２１３４６号公報
【０００９】
【発明が解決しようとする課題】
しかしながら、上記従来の固縛構造では、支持金具ｄ２は外側方に延設された係合ピンｄ１の周面を抱え込んだ状態で保持している。このため、係合ピンｄ１の軸方向と直交する方向に力が作用する後部煽戸ｂへの内方から後方への押圧力に対しては強固な保持力を有してこの押圧力に抗することができるものの、係合ピンｄ１の軸方向に力が作用する側壁への内方から外側方への押圧力に対しては保持力が弱い構造になっている。
【００１０】
従って、荷箱内への塵芥等の詰め込みにより側壁に内方から外側方へ大きな押圧力が生じた場合などには側壁が外側方に倒れるという問題があった。
【００１１】
本発明は、上記問題点に鑑みてなされたもので、その目的とするところは、簡単な構成により、煽戸への内方から外側方への押圧力は勿論のこと、この煽戸を固縛する側壁への内方から外側方への押圧力に対しても強力な保持力を有し、当該側壁の倒れを防止することのできる荷箱の煽戸固縛装置を提供することにある。
【００１２】
【課題を解決するための手段】
請求項１に係る発明の荷箱の煽戸固縛装置は、開閉自在な煽戸を備えた荷箱において、荷箱には煽戸を閉塞状態で固縛する固縛装置が設けられ、該固縛装置は、煽戸に設けられた固縛フックと、荷箱側に設けられ、該固縛フックが係脱自在な固縛ピンとを備えてなり、固縛フックのフック部が固縛ピンの周面を荷箱側から外側に亘って抱え込んだ状態で係合するように構成されたものである。
【００１３】
請求項２に係る発明の荷箱の煽戸固縛装置は、前記フック部の内側縁には、固縛ピンに係合した際にこの固縛ピンに掛止可能な突起部が形成されたものである。
【００１４】
請求項３に係る発明の荷箱の煽戸固縛装置は、前記固縛フックと前記固縛ピンとが上下方向に所定の間隔を隔てて複数個配設されるとともに、各固縛フックは上下方向に配設された連動ロッドに連結され、この連動ロッドの回動操作により各固縛フックが対応する各固縛ピンに係脱自在になされたものである。
【００１５】
【発明の実施の形態】
以下、本発明の実施の形態を図面を参照して説明する。
【００１６】
図１は、本発明の荷箱の煽戸固縛装置を適用した荷箱の構造を示している。
【００１７】
図１において、２は荷箱１の後面を構成する後部煽戸で、この後部煽戸２は、図示はしないがその一側縁が一方の側壁後端部にヒンジを介して連結されており、このヒンジを中心にして横開き自在に構成されている。
【００１８】
具体的には、後部煽戸２は、荷箱１の後部開口を閉塞した際には、図３に示すように他方の側壁１１後端面１１ａの内側部分にその他側縁２１が当接した状態で配置され、この状態で固縛装置３によって固縛されている。
【００１９】
固縛装置３は、他方の側壁１１後端面１１ａと後部煽戸２の他側縁２１との間に、上下方向に所定の間隔を隔てて配置された複数の固縛部材３１を備えてなり、これら固縛部材３１によって側壁１１に対して後部煽戸２を閉塞状態で固縛するようにしている。
【００２０】
固縛部材３１は、図２及び図３に示すように、側壁１１後端面１１ａにブラケット１２を介して支持された固縛ピン３２と、後部煽戸２の他側縁２１外方に設けられた固縛フック３３とを備えている。
【００２１】
固縛ピン３２は、側壁１１後端面１１ａから後方に突設された上下一対のブラケット１２、１２の先端部間に亘って垂直方向に支持されている。
【００２２】
一方、後部煽戸２の他側縁２１端面２１ａには、上下に所定の間隔を隔てて複数のボス２２が連設され、これらボス２２に連動ロッド３４が回転自在に支持されている。
【００２３】
前記各固縛フック３３は、その基端部が上記連動ロッド３４に一体的に設けられており、先端部に形成されたフック部３３ａ（図４参照）が前記固縛ピン３２に係脱自在になされている。
【００２４】
また、連動ロッド３４には操作レバー３５が連結されており、この操作レバー３５により連動ロッド３４を回動させることで、各固縛フック３３を回動操作するようにしている。従って、後部煽戸２を閉塞した状態で、上記操作レバー３５により固縛フック３３を回動操作することで当該固縛フック３３を固縛ピン３２に係脱させ、これにより後部煽戸２の固縛と固縛解除を行うようにしている。
【００２５】
上記操作レバー３５の先端部には、上記固縛フック３３を固縛ピン３２に係合させた状態で、後部煽戸２に設けられたストッパ２３と係脱自在な保持プレート３６が設けられている。具体的には、ストッパ２３の軸部２４先端が軸方向に移動自在に設けられるとともに、保持プレート３６に軸部２４先端が嵌入自在な図示しない保持孔が設けられており、この保持孔に軸部２４先端を嵌入させることで、操作レバー３５を保持するようにしている。
【００２６】
ところで、前記固縛フック３３のフック部３３ａは、図４に示すように固縛ピン３２に係合した状態では、当該固縛ピン３２の周面外側をも抱え込むように湾曲状に形成されている。また、このフック部３３ａの内側縁には突起部３３ｂが形成されており、固縛フック３３で固縛ピン３２を固縛した際にはこの突起部３３ｂが固縛ピン３２の周面に掛止させることで、固縛フック３３による固縛ピン３２の係合を強固なものにしている。
【００２７】
このように固縛装置３を構成する各固縛ピン３２、各固縛フック３３及び連動ロッド３４は、図３に示すように後部煽戸２の他側縁２１端面２１ａと側壁１１後端面１１ａとで形成された空間部Ｓに配置されるとともに、操作レバー３５が図２に示すように後部煽戸２の他側縁２１外面に設けられたスチフナ２ａの切欠部２ｂ内に配置されるようになされている。これにより、固縛装置３は、後部煽戸２の外面から突出することなく当該外面と略面一に配置され、この結果、荷箱１の全長を長くすることなく、既存の荷箱１全長を維持した状態で固縛装置３を配設することができる。
【００２８】
そして、後部煽戸２を閉塞位置に配置して操作レバー３５により連動ロッド３４を介して固縛フック３３により固縛ピン３２を係合した状態では、固縛フック３３が固縛ピン３２の周面内側から外側に亘ってこの固縛ピン３２を抱え込むようにして配置されることになる。
【００２９】
このように固縛フック３３が固縛ピン３２に係合することで、固縛装置３により後部煽戸２を閉塞状態で固縛した際には、内部に詰め込んだ塵芥などにより後部煽戸２に内方から外側方への押圧力が作用しても、各固縛フック３３のフック部３３ａが固縛ピン３２を荷箱１側（内側）から外側にかけて抱え込んで係合しているため、上記押圧力に対して強固に抗することができ、後部煽戸２を閉塞状態で安定的に保持することができる。
【００３０】
また、側壁１１に内方から外側方への押圧力が作用した場合でも、各固縛フック３３のフック部３３ａが固縛ピン３２を荷箱１側（内側）から外側にかけて抱え込んで係合しているため、突起部３３ｂによる掛止作用と相まって、上記押圧力に対して強固に抗することができ、これにより側壁１１の外側方への倒れを確実に防止することができる。
【００３１】
なお、本実施の形態では、固縛装置３により後部煽戸２を固縛するものについて説明したが、この固縛装置３は、後部煽戸２に限らず側壁が横開き自在になされた側部煽戸の固縛にも適用でき、また、後壁や側壁などの壁面全体が横開きする煽戸に限らず、壁面の一部が横開きする煽戸の固縛にも適用することができる。
【００３２】
さらに、横開きする煽戸だけでなく、上開き又は下開きする煽戸にも適用することができる。
【００３３】
【発明の効果】
以上述べたように、本発明の荷箱の煽戸固縛装置によれば、固縛フックのフック部を固縛ピンの周面を荷箱側から外側に亘って抱え込んだ状態で係合するように構成したことで、簡単な構成により、煽戸固縛装置により煽戸を閉塞状態で固縛した際には、内部に詰め込んだ塵芥などにより煽戸に内方から外側方への押圧力が作用しても、この押圧力に対して強固に抗することができ、煽戸を閉塞状態で安定的に保持することができるとともに、煽戸を固縛する側壁に内方から外側方への押圧力が作用した場合でも、押圧力に対して強固に抗することができ、これにより側壁の外側方への倒れを確実に防止することができる。
【００３４】
また、フック部の内側縁に突起部を設けたことで、固縛フックのフック部による固縛ピンへの係合をさらに強固なものにすることができる。
【図面の簡単な説明】
【図１】本発明の荷箱の煽戸固縛装置の全体構成を示す正面図である。
【図２】固縛部材を示す拡大の正面図である。
【図３】固縛部材を示す拡大の平面図である。
【図４】固縛フックの形状を示す平面図である。
【図５】従来の荷箱の煽戸固縛装置の全体構成を示す正面図である。
【図６】従来の固縛部材の構造を示す斜視図である。
【符号の説明】
１  荷箱
２  後部煽戸（煽戸）
３  固縛装置
３１  固縛部材
３２  固縛ピン
３３  固縛フック
３３ａ  フック部
３３ｂ  突起部
３４  連動ロッド
３５  操作レバー
【図１】
2004182143.tif 000003
【図２】
2004182143.tif 000004
【図３】
2004182143.tif 000005
【図４】
2004182143.tif 000006
【図５】
2004182143.tif 000007
【図６】
2004182143.tif 000008